(57)【特許請求の範囲】
【請求項１】
左右の長さが異なる棒状の一対の補強用金網位置決め支持治具としてのセット棒を上端のみ固定した片持ち形式で、位置決め支持治具固定治具としてのセット枠に取付け、該セット枠を用い、その長い方のセット棒が補強用金網上端より下になるまでセット枠を降下させた後、セット枠の吊り装置か補強用金網整列治具のいずれかを水平にスライドさせセット棒先端の傾斜内に補強用金網がある状態にしてからセット枠を降下させることによりセット棒間に予め整列治具により整列された補強用金網をセットし、しかる後セット棒の下端をフリー状態のまま整列治具より、補強用金網をセット枠と共に取出し、次いで該セット枠を型枠上にセットして多数枚の補強用金網を型枠にセットすることを特徴とする気泡コンクリート補強材のセット方法。
【請求項２】
整列治具に整列された補強用金網が間に挿入される左右の長さが異なる棒状の一対の補強用金網位置決め支持治具としてのセット棒を上端のみ固定した片持ち形式で、位置決め支持治具固定治具としてのセット枠に取付けたことを特徴とする気泡コンクリート補強材のセット装置。
【発明の詳細な説明】
【０００１】
【産業上の利用分野】
本発明は気泡コンクリート補強材のセット方法及びその装置に関するものである。
【０００２】
【従来の技術】
気泡コンクリート（ＡＬＣ）の薄厚製品製造においては、製品強度を増すため製品内部に補強用金網をセットする必要があり、モルタルを成型する型枠内に補強用金網をモルタル注入前にセットした後、モルタルを注入するが、モルタル注入発泡、半硬化時に型枠内にセットした補強用金網が移動し、モルタル内の補強用金網の位置精度の確保が容易でない。したがって種々の方式が提案されている。例えば、実公昭４９−３２６５号公報に示すように予め型内に補強用金網が移動しないよう棒状の補強用位置決め支持治具としてのセット棒を型枠底板の穴に植え込んでセットした後、そのセット棒間に補強用金網を挿入し、その後セット棒上部を固定する治具としてのセット枠を型枠上にセットし、セット棒上部を固定した後、モルタルを型枠内に注入する方法や、特公平３−４８００６号公報に示すように一対のセット棒を複数本、セット枠に取付け、そのセット棒間をスライド機構で広げたものを、刃間に補強金網を縦に整列させた通称ケン山と呼ばれる補強用金網整列治具上にクレーン等で降下させることにより、セット棒間に補強用金網を挿入した後、補強用金網上部を把持機構で把持し、かつセット棒間をスライド機構で狭めた後、セット棒下端を下端固定板に取付けて形成したセット枠を型枠上にクレーンで移送し、セット棒下端の固定板を型枠底板に押しつけ、モルタルを型枠に注入後、モルタル硬度がセット棒を取り外しても補強用金網が移動しない硬度まで硬化した時点でセット棒間を広げた後、補強用金網の上部把持機構を解除後、セット棒下端の下端固定板を外し、かつクレーン等でセット枠と共にセット棒のみをモルタル内から抜き出している。そして上記いずれの方法もその後モルタルがハンドリングできる硬度にまで硬化した後、モルタルブロックを型枠側板ごとクレーンでピアノ線カッターに移送し、製品毎に切断した後、オートクレーブにより反応硬化させ、ＡＬＣ板製品を製造している。
【０００３】
【発明が解決しようとする課題】
しかし、従来のこれらの方式では実公昭４９−３２６５号公報の場合、約１千対のセット棒の型枠底板への植え込み、セット棒間への補強用金網の挿入、セット枠のセット固定を別個に行う必要があり、作業そのものが効率的でなく、かつモルタルが発泡後、硬化前にセット棒のみモルタル内から抜いた後に型枠底板のセット棒植え込み用穴に詰まったモルタルを掃除除去する必要があり、作業が効率的でないという欠点を有している。又、特公平３−４８００６号公報の場合、棒状の一対のセット棒をセット枠に片持ち形式に取付けたものであるが、次のような欠点を有している。
(1)  セット棒下端にセット棒下端固定板を取付けることにより、セット棒が両端支持される為、モルタル発泡時、圧力によるセット棒変形は小さくなるが、セット棒を抜いた後、セット棒下端固定板は型枠底板上に残る為、その回収、洗浄及びセットが極めて手間取る。
(2)  補強用金網をセット棒間に入れる際、セット棒間を開閉させる為，構造が複雑になり，セット棒の寸法及び位置精度を確保しにくく，また，経済性、保全性も好ましくないという欠点を有している。
本発明は以上のような従来の欠点を解消すべく発明したもので、製品板内の補強用金網の位置精度を確保しつつ作業効率化が計れる気泡コンクリート補強材のセット方法及びその装置をうることを目的とするものである。
【０００４】
【課題を解決するための手段】
本発明は以上のような目的を達成するために次のような気泡コンクリート補強材のセット方法及びその装置を提供するものである。
すなわち、方法の発明は棒状の一対の補強用金網位置決め支持治具としてのセット棒を上端のみ固定した片持ち形式で、位置決め支持治具固定治具としてのセット枠に取付け、該セット棒の間に予め整列治具により整列された補強用金網をセットし、しかる後セット棒の下端をフリー状態のまま整列治具より補強用金網をセット枠と共に取出して、次いで該セット枠を型枠上にセットして多数枚の補強用金網を型枠にセットすることを特徴とする気泡コンクリート補強材のセット方法であり、かかる方法において、左右の長さが異なる一対のセット棒を取付けたセット枠を用い、その長い方のセット棒が補強用金網上端より下になるまでセット枠を降下させた後、セット枠の吊り装置か補強用金網整列治具のいずれかを水平にスライドさせセット棒先端の傾斜内に補強用金網がある状態にしてからセット枠を降下させることによりセット棒間に補強用金網をセットするものである。以上のような方法を実施する装置の発明は整列治具に整列された補強用金網が間に挿入される棒状の一対の補強用金網位置決め支持治具としてのセット棒を上端のみ固定した片持ち形式で、位置決め支持治具固定治具としてのセット枠に取付けた気泡コンクリート補強材のセット装置であり、かかる装置において、セット棒の長さを左右異なるようにしたことを特徴とする気泡コンクリート補強材のセット装置である。
【０００５】
【実施例】
以下図面に示す実施例についてこれを具体的に説明する。
図１０は実公昭４９−３２６５号公報に示された従来のものと同様な従来方法による補強用金網のセット方法を示すもので、（イ）で先ず型枠底板（１）の穴を掃除し、次に（ロ）で示す如く型枠底板（１）の穴にセット棒（２）を植え込み、セット棒（２）が植え込まれた型枠底板（１）のセット棒（２）間に（ハ）の如く補強用金網（３）を挿入し、ついで（ニ）に示す如く、セット棒（２）上部をセット枠（４）で固定し、型枠（７）内にセットする。
しかるに本発明は図９に示す如く先ず（イ）で一対のセット棒（２）（２）をセット枠（４）に固定したものを（ロ）で示す刃（６）（６）間の補強用金網（３）を整列した整列治具（５）に挿入してセット棒（２）（２）間に補強用金網（３）を挿入し、これを（ハ）の如く整列治具（５）より取出し、型枠（７）に（ニ）の如くセットするものである。
【０００６】
以上のような方法を実施するために本発明では次のようなセット棒及びセット枠が用いられる。
(1)  一対のセット棒の上端のみをセット枠に直接固定したセット枠を用いる。なおこの場合、セット棒間に補強用金網を容易に入れる為、左右の長さが異なるセット棒とする。
(2)  好ましくは断面積２００mm2以下の円形又は矩形の鋼材製セット棒を用いる。
(3)  又、好ましくはセット棒の縦方向のピッチを４００mm以下とする。そして補強用金網（３）をセット棒（２）（２）間にセットする方法としては、一対のセット棒間をスライド機構等により、広げることなく、図２、３、４に示すようにセット棒（２）（２）の下端円錐状又は補強用金網が入る側を斜めに傾斜（２ａ）をとり、予め補強用金網（３）を整列用治具（５）により整列させた補強用金網上へセット枠（４）をクレーン等で降下させるのみでセット棒（２）（２）間に補強用金網（３）をセットする。この場合、一対のセット棒の間隔は丁度補強金網がはさみ込まれ、一対のセット棒を持ち上げると補強用金網が落下しにくい間隙になっている。
尚、この方法では、補強用金網変形時やセット棒、整列治具精度及びクレーン吊り部の水平精度が低下すると、セット棒間に補強用金網が入りにくくなる可能性も有るため、図５、６、７に示すように、更に一対のセット棒（２）（２）の一方の長さを若干（約３０mm）短くし、長い方が補強用金網（３）上端より下になる迄セット枠（４）を降下させた後、セット枠（４）の図示しない吊り装置（クレーン等）か補強用金網（５）のいずれかを板厚の１／２以下の距離、水平にスライドさせ確実にセット棒先端の傾斜内に補強用金網が有る状態にしてからセット枠（４）を降下させることにより確実に、セット棒（２）（２）間に補強用金網をセットする。
尚、セット棒（２）（２）間に補強用金網が入り易いように、セット棒（２）（２）下端を円錐状又は補強用金網が、入る側を斜めに傾斜状にするのが望ましい。
又、本発明において、セット棒は、従来の両端固定形式から片持ち形式になるため、モルタルの発泡時の圧力によりセット棒が型枠側板側にたわみ易くなり、たわみ強度のアップを十分考慮する必要があり、そのためにセット棒の断面積を大きくすることが望ましいが、断面積が大きくなると、セット棒をモルタル内から抜き出した後、セット棒の穴跡が残り易くなるため好ましくない。
よって、種々の断面積・材質・形状のセット棒でテストを行った結果、好ましい範囲として断面積は１０以上２００mm2以下が好ましく、その中でも特に１５〜１００mm2以下が最も好ましい。材質は経済性及び精度確保上は鋼材、その中でもバネ鋼材が望ましく、断面形状としては円形以外に矩形等が考えられるが、経済性及び真直度精度確保上、円形が好ましい。なお、鋼製セット棒において、片持ち形式でも断面積が１０mm2以上でかつ、セット棒の製品長さ方向のピッチを４００mmで支持するなら、製品幅６００mm用補強用金網において、モルタル発泡時、圧力のたわみによる補強用金網の位置ずれが±３mm以下に精度確保できる。
その後、セット枠（４）を吊り上げた時、補強用金網が落下しないよう、補強用金網の上部を図示しないが特公平３−４８００６号と同様の把持装置で把持した後、クレーン等でモルタルを注入する型枠上にセットし、その後、モルタルを注入後、発泡モルタルが把持装置の把持部に達する５〜１０cm以前に把持部を解除し、把持部がモルタルに漬からないように、把持部を上昇させ、その後、モルタルが発泡して注入後、２５〜３５分後にセット枠をクレーン等で吊上げてモルタル内のセット棒毎、型枠内より取り出し、セット棒に付着したモルタルを洗浄装置で除去、洗浄を行う。
【０００７】
図１は図２の状態を斜面図にみたものであり、図８はセット枠を型枠にセットした斜面図を示している。
【０００８】
次に、本発明の実験例について説明する。
防錆処理を行った製品補強金網（幅５５４mm・長１７９０mm・厚２mm・線径２mm）、目開（ひし形：縦１６・横３２mm）を複数枚（横４０×縦４＝１６０枚）を補強用金網整列装置の串刃間に機械でセットした後、直径φ７mm、長さ８００mm：材質：ＳＷ硬鋼で１方だけ３０mm短い２本を１対とするセット棒（間隔が３mm）を、横方向にピッチ３７．５mmで４０対取付けた梁を、長さ方向に３２梁固定したセット枠をクレーンで降下・スライドさせることにより、セット棒間に補強用金網複数枚（横４０×縦４＝１６０枚）をセットした後、補強用金網上部を把持装置で把持した後、そのセット枠を、クレーンでモルタル成型用型枠（容積６．５m3 ０．６m×幅１．５m×長７．２m）上に移送・セット後、成型用型枠内に発泡モルタルを注入した。
そして発泡モルタルが把持装置の把持部に達する５cm以前に把持部を解除し、把持部がモルタルに漬からないように把持部を上昇させた。
その後、モルタル発泡完了しセット棒を引き上げた後、その後が自然に埋まるモルタル半硬化の硬度になった時（注入後約３０分）に、本発明セット枠をクレーンで吊り上げることにより、セット棒をモルタル内から引き上げた。（その際セット間の金網はモルタルの抵抗により型枠内モルタル内に残った。）その後モルタルがハンドリングできる硬度まで硬化させた後（注入後約１５０分）にモルタルを型枠側板ごとクレーンでグリップし、モルタルブロック切断装置まで金網入りモルタルブロックを移送し、厚さ３７．５mm、かつ長さ１．８mのモルタル板（横４０枚×縦４列＝全１６０枚）に切断し、その後オートクレーブで水和反応により硬化を行った。
その結果従来方式ではセット棒のセット、補強用金網のセット、セット枠のセット、型枠底板の穴掃除等に全所要時間が３２分を要していたが、本発明方式では１４分と２分の１以下で作業が出来るようになり、かつ所要作業員も１５人から４人と、４分の１に低減できた。
好ましい実施態様として棒状の一対のセット棒をセット枠に片持ち形式で取付けたものにおいて、セット棒の下端を円錐状又は補強用金網が入る側を斜めに傾斜した気泡コンクリート補強材のセット装置とすると、整列治具に整列された補強用金網がセット棒間に入り易くできる。又、１０以上２００mm2以下の円形又は矩形のバネ鋼セット棒をセット枠を取付けた気泡コンクリート補強材のセット装置とすると、セット棒をモルタル内から抜出した後のセット棒の穴跡が発生しないという効果があり、更に補強用金網の長さ方向に４００mm以下のピッチでセット棒をセット枠に取付けた気泡コンクロート補強材のセット装置とすることにより、鋼製セット棒で片持ち形式でも断面積が１０mm2以下で、かつセット棒の製品長さの方向のピッチを４００mmで支持するなら製品幅６００mm用補強用金網においてモルタル発泡時、圧力のたわみによる補強用金網の位置ずれが±３mm以下の精度に確保できるという効果がある。
【０００９】
【発明の効果】
本発明により、セット棒のセット、補強用金網の挿入、セット枠のセットの３作業を一度に行なえ、かつ型枠底穴掃除作業や、セット棒下端固定板の回収掃除作業が不要になることにより作業を大幅に効率化でき且つ補強用金網変形時やセット棒、整列治具の精度及びクレーン吊り部の水平精度が低下してもセット棒間に補強用金網が入り易いという効果がある。
【図面の簡単な説明】
【図１】セット枠を整列治具に挿入する状態を示す斜面図
【図２】セット棒を整列治具に整列された金網間に挿入する状態を示す説明図（立面）
【図３】セット枠の長さ方向に４００mm間隔にセット棒を取付けたセット枠を整列治具に挿入する状態を示す説明図（側面）
【図４】図３の上面図
【図５】セット棒の長さが異なる状態の図２と同様な説明図
【図６】同上の図３と同様な説明図
【図７】同上の図４と同様な説明図
【図８】セット枠を型枠にセットした状態の斜面図
【図９】本発明を示す説明図
【図１０】従来方式を示す説明図
【符号の説明】
１    ＡＬＣ成型型枠の底板
２    セット棒（補強用金網位置決め支持治具）
３    補強用金網
４    セット枠（セット棒固定治具）
５    整列用治具
６    整列用治具の刃
７    型枠の側板
【図１】
0003595378.tif 000002
【図２】
0003595378.tif 000003
【図３】
0003595378.tif 000004
【図４】
0003595378.tif 000005
【図５】
0003595378.tif 000006
【図６】
0003595378.tif 000007
【図７】
0003595378.tif 000008
【図８】
0003595378.tif 000009
【図９】
0003595378.tif 000010
【図１０】
0003595378.tif 000011